(57)【要約】 【課題】  躯体工事や外装工事において支障をきたすことなく、しかも過剰仕様での対応を強いられることなく、鋼製梁と木製横架とを簡単に緊結する。【解決手段】  鋼製梁(４)の上面に連結ボルト付きプレート(50)を固定ボルト(54)(54)によって固定して、連結ボルト(52)を鋼製梁(４)に立設するとともに、連結ボルト(52)を挿通させた木製大引き(７)を、その木製大引き(７)とプレート(51)上面に露出した固定ボルト(54)(54)の頭部(55)(55)との干渉を防止するスペーサ(60)を介して鋼製梁(４)の上側に取り付け、連結ボルト(52)の先端部に螺合したナット(57)を締め付けることで、鋼製梁(４)と木製大引き(７)を緊結する。【選択図】  図８
2006037476.tif 000002
【特許請求の範囲】
【請求項１】
金属製梁の上面に連結ボルト付きプレートを固定ボルトによって固定して、前記連結ボルトを金属製梁に立設するとともに、前記連結ボルトを挿通させた木製横架材を、その木製横架材と前記プレート上面に露出した前記固定ボルトの頭部との干渉を防止するスペーサを介して前記金属製梁の上側に取り付け、前記連結ボルトの先端部に螺合したナットを締め付けることで、前記金属製梁と前記木製横架材を緊結したことを特徴とする金属製梁と木製横架材の緊結構造。
【請求項２】
前記連結ボルトを前記スペーサの貫通孔に貫通させて、前記頭部を前記スペーサによって形成される前記プレートと木製横架材との隙間に収容した請求項１記載の金属製梁と木製横架材の緊結構造。
【請求項３】
前記スペーサは、前記木製横架材を載置する載置板部と、この載置板部の下面から突出した脚部とを備え、前記載置板部に前記貫通孔を形成した請求項２記載の金属製梁と木製横架材の緊結構造。
【請求項４】
前記金属製梁は、一対のフランジが上下に対向するように配置したＨ形鋼からなり、その上側フランジにおけるウエブ直上に、前記連結ボルトを立設した請求項１乃至３のいずれかに記載の金属製梁と木製横架材の緊結構造。
【請求項５】
前記木製横架材は、前記連結ボルトを挿通させるボルト孔を形成した角材からなり、前記ボルト孔は、前記角材の芯部に対して略直交するように前記角材を鉛直方向に貫通している請求項１乃至４のいずれかに記載の金属製梁と木製横架材の緊結構造。
【請求項６】
前記金属製梁を、基礎に設置した免震要素によって支持した請求項１乃至５のいずれかに記載の金属製梁と木製横架材の緊結構造。
【請求項７】
免震木造住宅に適用した請求項１乃至６のいずれかに記載の金属製梁と木製横架材の緊結構造。
【発明の詳細な説明】
【技術分野】
【０００１】
この発明は、例えば軸組構造や枠組壁構造の免震木造住宅において、基礎に設置した免震要素によって支持した金属製梁と土台や大引き等の木製横架材を緊結するための緊結構造に関する。
【背景技術】
【０００２】
木造住宅として、基礎上に設置した免震要素によってＨ形鋼からなる鋼製梁を支持し、その鋼製梁に緊結した土台や大引き等の木製横架材上に壁や床を施工することで、地震の際に住宅本体に振動が伝わらないようにした免震構造のものがある。
【０００３】
この種の免震木造住宅において、例えば特許文献１に開示されているように、鋼製梁と木製横架材の緊結に際しては、鋼製梁に連結ボルトを溶接によって立設するとともに、その連結ボルトを木製横架材のボルト孔に挿通させて、その先端に螺合したナットを締め付けるようにしている。
【０００４】
また、鋼製梁の上側フランジ及び木製横架材にボルト孔を夫々形成して、これらボルト孔に挿通した連結ボルトの先端にナットを螺合して締め付けていることもある。
【０００５】
【特許文献１】特開２００１−９０３８４号公報
【発明の開示】
【発明が解決しようとする課題】
【０００６】
前者の場合、予め工場等において鋼製梁に連結ボルトを溶接することで、現場での作業を少なくして施工性を向上することができる。しかし、軸組工法の木造住宅の場合、１階床の大引きの施工は、一般的に躯体工事や外装工事が完了した後に行われるので、１階床工事の着手時までは鋼製梁に溶接してある連結ボルトが邪魔になって、躯体工事や外装工事を行う際の危険要因となることがあった。
【０００７】
このため、躯体工事や外装工事が完了した後に、現場にて鋼製梁の大引き緊結箇所に連結ボルトを溶接するといった対応がなされているが、この場合、連結ボルトが邪魔にならない代わりに、現場作業の煩雑化を招いていた。
【０００８】
一方、後者の場合、躯体工事や外装工事が完了した後に、連結ボルトによる緊結を溶接なしに簡単に行うことができる。しかし、Ｈ形鋼からなる鋼製梁においては、上側フランジ中央部にウエブが存在するため、フランジ中央部から外れた位置にボルト孔を形成せざるを得ない。これに対し、木製横架材へのボルト孔の加工は、木製横架材の中央部に対して行うことが多い。従って、鋼製梁や木製横架材に対するボルト孔加工に際して、加工ミスを起こし易いといった不具合があった。
【０００９】
さらに、鋼製梁と木製横架材とを互いに中央部を一致させるようにして緊結する場合、それら中央部に対して連結ボルトの位置が偏心する。このような、偏心は構造上好ましくないため、例えば一対の連結ボルトを中央部を挟んで左右対称となるように取り付ける等の過剰な仕様での対応が必要となっていた。
【００１０】
この発明は、上記の不具合を解消して、躯体工事や外装工事に際して支障をきたすことなく、しかも過剰仕様での対応を強いられることなく、金属製梁と木製横架とを簡単に緊結することを目的とする。
【課題を解決するための手段】
【００１１】
上記の課題を解決するため、この発明の金属製梁と木製横架材の緊結構造は、金属製梁の上面に連結ボルト付きプレートを固定ボルトによって固定して、前記連結ボルトを金属製梁に立設するとともに、前記連結ボルトを挿通させた木製横架材を、その木製横架材と前記プレート上面に露出した前記固定ボルトの頭部との干渉を防止するスペーサを介して前記金属製梁の上側に取り付け、前記連結ボルトの先端部に螺合したナットを締め付けることで、前記金属製梁と前記木製横架材を緊結したことを特徴とする。
【００１２】
具体的には、前記連結ボルトを前記スペーサの貫通孔に貫通させて、前記頭部を前記スペーサによって形成される前記プレートと木製横架材との隙間に収容している。
【００１３】
また、前記スペーサは、前記木製横架材を載置する載置板部と、この載置板部の下面から突出した脚部とを備え、前記載置板部に前記貫通孔を形成している。
【００１４】
さらに、前記金属製梁は、一対のフランジが上下に対向するように配置したＨ形鋼からなり、その上側フランジにおけるウエブ直上に、前記連結ボルトを立設している。
【００１５】
さらにまた、前記木製横架材は、前記連結ボルトを挿通させるボルト孔を形成した角材からなり、前記ボルト孔は、前記角材の芯部に対して略直交するように前記角材を鉛直方向に貫通している。
【００１６】
また、前記金属製梁を、基礎に設置した免震要素によって支持して、免震木造住宅に適用している。
【発明の効果】
【００１７】
この発明では、金属製梁の上面に連結ボルト付きプレートを固定ボルトによって固定して、その連結ボルトによって金属製梁と木製横架材を緊結しているので、躯体工事や外装工事が完了した後に、連結ボルトによる緊結を溶接なしに簡単に行うことができる。
【００１８】
従って、現場溶接工を必要とせずに大工職だけの施工で済み、現場作業の簡略化を図ることができる。しかも、躯体工事や外装工事に際して、連結ボルトが邪魔にならず、危険要因を排除することができる。
【００１９】
しかも、金属製梁と木製横架材との間にスペーサを介在させて、木製横架材と固定ボルトの頭部との干渉を防止しているので、木製横架材の下部に頭部回避用の座堀を形成せずに済み、木製横架材の強度低下を招くこともない。
【００２０】
また、スペーサに連結ボルトを貫通させることで、スペーサを位置決めした状態で安定して設置することができ、施工性の向上を図ることができる。
【００２１】
さらに、金属製梁の上側フランジにおけるウエブ直上に連結ボルトを立設し、また木製横架材の芯部に対して略直交する位置にボルト孔を形成しているので、金属製梁や木製横架材の幅方向中央部に連結ボルトやボルト孔を位置させて、加工ミスを防ぐことができる。しかも、金属製梁と木製横架材とを互いに中央部を一致させるようにして緊結した場合に、連結ボルトの位置が偏心することがなく、また過剰な数の連結ボルトを使用して緊結する必要もない。
【発明を実施するための最良の形態】
【００２２】
以下、この発明の実施形態を図面に基づいて詳細に説明する。
【００２３】
図１は、この発明の一実施形態に係る免震木造住宅における１階床部分を示したもので、(１)は、コンクリート製のスラブ基礎であって、例えば、地盤を浅く掘削して割栗地業を行った上に打設している。このスラブ基礎(１)の要所要所に台座(２)を設置するとともに、その上に免震要素(３)を配置している。
【００２４】
そして、枠状に連結した鋼製梁(４)を免震要素(３)によって支持して、それら鋼製梁(４)に緊結した土台(６)や大引き(７)といった木製横架材上に外壁(10)や間仕切り壁等の壁及び床(11)を構築している。なお、鋼製梁(４)上に載せることができない大引き(７)端部は、鋼製梁(４)に取り付けたＬ形の支持金具(８)によって支持されている。
【００２５】
住宅外周部の鋼製梁(４)の下側には、スラブ基礎(１)の外周端部より上方に立ち上がるようにして、そのスラブ基礎(１)と一体に打設されたコンクリート製の基礎立ち上がり部(12)が鋼製梁(４)とは縁切りした状態で立ち上がっている。(13)は、住宅外周部の鋼製梁(４)に取付けプレート(14)を介して取り付けたカバー壁、(15)は、住宅外周部の鋼製梁(４)の下部に取り付けた水切り材である。
【００２６】
このように、住宅本体の下側に位置する鋼製梁(４)を基礎部分と縁切りした状態で免震支承することで、地震の際に地盤からの振動が住宅本体に伝わらないようになっている。
【００２７】
図２及び図３は、外周部の鋼製梁(４)と土台(６)との緊結構造を示している。鋼製梁(４)は、一対のフランジ(20)(20)が上下に対向するように配置したＨ形鋼からなる。
【００２８】
そして、鋼製梁(４)の上面には、図４に示すように、その長手方向に適宜間隔をあけて頭部付き連結ボルト(30)が予め立設されている。すなわち、鋼製梁(４)の上側フランジ(20)上面におけるウエブ(21)直上に、連結ボルト(30)の安定感のある頭部(31)を溶接することで、連結ボルト(30)のボルト部(32)が上側フランジ(20)上面の幅方向中央部において鉛直方向に突出している。
【００２９】
土台(６)は、長尺の角材からなり、その長手方向に適宜間隔をあけて連結ボルト(30)のボルト部(32)を挿通させるボルト孔(33)が  形成されている。ボルト孔(33)は、土台(６)の芯部に対して略直交するように土台(６)の幅方向中央部を鉛直方向に貫通している。また、ボルト孔(33)の上端部は、座堀して拡径されており、ナット(34)を収容する収容部(35)となっている。
【００３０】
そして、上記の鋼製梁(４)の上側に、約２０ｍｍ厚のスペーサ(40)を介して土台(６)が緊結されている。スペーサ(40)は、例えば合成樹脂製であって、土台(６)を載置する載置板部(41)と、この載置板部(41)の下面から突出した脚部(42)(43)とからなる。
【００３１】
載置板部(41)は、例えば方形状に形成され、その略中央部に連結ボルト(30)のボルト部(32)を貫通させる貫通孔(45)が形成されている。脚部(42)(43)は、スペーサ(40)を裏面側から見た図５に示すように、例えば載置板部(41)の下面外周部から突出した方形枠状の外周脚部(42)と、載置板部(41)の下面中央から突出した短筒状の中央脚部(43)とからなる。
【００３２】
そして、載置板部(41)の貫通孔(45)に連通する中央脚部(43)によって囲まれた空間(46)に、連結ボルト(30)の溶接された頭部(31)を収容するようになっている。
【００３３】
そして、免震支承された外周部の鋼製梁(４)に対する土台(６)の緊結に際しては、まず鋼製梁(４)の上側フランジ(20)の上面にスペーサ(40)を長手方向に適宜間隔をあけて設置する。すなわち、鋼製梁(４)の上側フランジ(20)の上面に予め立設してある連結ボルト(30)のボルト部(32)を、スペーサ(40)の貫通孔(45)に貫通させるとともに、連結ボルト(30)の頭部(31)及びその溶接部分(47)を、スペーサ(40)の空間(46)に収容させるようにして、スペーサ(40)を鋼製梁(４)の上側フランジ(20)の上面に設置する。
【００３４】
次に、スペーサ(40)から突出した連結ボルト(30)のボルト部(32)を、土台(６)のボルト孔(33)に挿通させた状態で、土台(６)をスペーサ(40)の載置板部(41)の上面に載置する。これにより、連結ボルト(30)の頭部(31)が土台(６)に干渉することなく、土台(６)を鋼製梁(４)に沿わせるようにして、鋼製梁(４)の上側に設置することができる。
【００３５】
そして、土台(６)のボルト孔(33)から突出した連結ボルト(30)のボルト部(32)の先端部に、ナット(34)を螺合して締め付けることで、互いの中央部を一致させるようにして、鋼製梁(４)に対して土台(６)を緊結する。このとき、ナット(34)が土台(６)のボルト孔(33)の収容部(35)に収容されるので、土台(６)の上面に外壁(10)等を構築する際に、ナット(34)が邪魔になることもない。
【００３６】
図６乃至図８は、内側の鋼製梁(４)と大引き(７)との緊結構造を示している。軸組工法の木造住宅の場合、１階床の大引きの施工は、一般的に躯体工事や外装工事が完了した後に行われるので、大引き(７)を緊結する内側の鋼製梁(４)において、外周部の鋼製梁(４)と同様に予め連結ボルト(30)を溶接していると、躯体工事や外装工事を行う際の危険要因となることがある。
【００３７】
このため、大引き(７)が緊結される内側の鋼製梁(４)に対しては、図４に示すように、予め連結ボルト(30)を溶接せず、躯体工事や外装工事が完了した後の１階床工事の着手時に連結ボルト付きプレート(50)を取り付けるようにしている。なお、内側の鋼製梁(４)であっても、躯体工事等がなされる鋼製梁(４)に対しては、予め連結ボルト(30)を溶接する。
【００３８】
連結ボルト付きプレート(50)は、図９に示すように、例えば約６ｍｍ厚の長方形状のプレート(51)の略中央部に、寸切りボルトからなる連結ボルト(52)を溶接してなる。プレート(51)には、その四隅付近にボルト挿通孔(53)(53)…が形成されている。連結ボルト(52)としては、寸切りボルトの代わりに頭部付きボルトを用いて、その頭部をプレート部(51)に溶接するようにしても良い。
【００３９】
そして、連結ボルト付きプレート(50)のプレート(51)を、鋼製梁(４)の上側フランジ(20)の上面に設置して、互いに一致させたプレート(51)のボルト挿通孔(53)(53)と上側フランジ(20)のボルト挿通孔(22)(22)へ、上方より固定ボルト(54)(54)を挿通させて、それら先端部に螺合したナット(59)(59)を締め付けることで、連結ボルト付きプレート(50)が鋼製梁(４)の上側フランジ(20)に固定されるようになっている。これにより、鋼製梁(４)の上側フランジ(20)の上面におけるウエブ(21)直上に連結ボルト(52)が立設される。なお、プレート(51)のボルト挿通孔(53)(53)…のうち、対角に位置する一対のボルト挿通孔(53)(53)へ固定ボルト(54)(54)を挿入して固定しており、過剰仕様とならないようにしている。
【００４０】
大引き(７)は、土台(５)と同様に長尺の角材からなり、その長手方向に適宜間隔をあけて連結ボルト(52)を挿通させるボルト孔(56)が形成されている。ボルト孔(56)は、大引き(７)の芯部に対して略直交するように大引き(７)の幅方向中央部を鉛直方向に貫通している。また、ボルト孔(56)の上端部は、座堀して拡径されており、ナット(57)を収容する収容部(58)となっている。
【００４１】
そして、上記の鋼製梁(４)の上側に、約１４ｍｍ厚のスペーサ(60)を介して大引き(７)が緊結されている。スペーサ(60)は、例えば合成樹脂製であって、大引き(７)を載置する載置板部(61)と、この載置板部(61)の下面から突出した脚部(62)(63)とからなる。
【００４２】
載置板部(61)は、例えばプレート(51)よりも小さい方形状に形成され、その略中央部に連結ボルト(52)を貫通させる貫通孔(64)が形成されている。脚部(62)(63)は、スペーサ(60)を裏面側から見た図１０に示すように、例えば載置板部(61)の下面外周部から突出した方形枠状の外周脚部(62)と、載置板部(61)の下面中央から突出した短筒状の中央脚部(63)とからなる。
【００４３】
そして、載置板部(61)の貫通孔(64)に連通する中央脚部(63)によって囲まれた空間(65)に、連結ボルト(52)の溶接部分(66)を収容するようになっている。
【００４４】
そして、免震支承された内側の鋼製梁(４)に対する大引き(７)の緊結に際しては、躯体工事や外装工事が完了した後の１階床工事の着手時に、鋼製梁(４)の上側フランジ(20)の上面に、固定ボルト(54)(54)によって連結ボルト付きプレート(50)を長手方向に適宜間隔をあけて固定する。
【００４５】
続いて、鋼製梁(４)の上側フランジ(20)の上面に立設した連結ボルト(52)を、スペーサ(60)の貫通孔(64)に貫通させるようにして、スペーサ(60)をプレート(51)の上面に設置する。このとき、約６ｍｍ厚のプレート(51)の上面に、約１４ｍｍ厚のスペーサ(60)が載置されて合計約２０ｍｍ厚となり、スペーサ(60)の上面が外周部のスペーサ(40)の上面と同じ高さに揃えられる。
【００４６】
次に、スペーサ(60)から突出した連結ボルト(52)を、大引き(７)のボルト孔(56)に挿通させた状態で、大引き(７)をスペーサ(60)の載置板部(61)の上面に載置する。このとき、図７に示すように、鋼製梁(４)に対して大引き(７)を直交させた状態で載置した場合には、プレート(51)の上面に露出した固定ボルト(54)(54)の頭部(55)(55)が、大引き(７)の側方に位置して、頭部(55)(55)が大引き(７)に干渉することはない。また、図８に示すように、鋼製梁(４)に対して大引き(７)を沿わせた状態で載置した場合には、プレート(51)の上面に露出した固定ボルト(54)(54)の頭部(55)(55)が、スペーサ(60)の介在によって形成されたプレート(51)と大引き(７)との隙間(70)に収容されて、頭部(55)(55)が大引き(７)に干渉することなく、大引き(７)を鋼製梁(４)の上側に設置することができる。
【００４７】
そして、大引き(７)のボルト孔(56)から突出した連結ボルト(52)の先端部に、ナット(57)を螺合して締め付けることで、互いの中央部を一致させるようにして、鋼製梁(４)に対して大引き(７)を緊結する。このとき、ナット(57)が大引き(７)のボルト孔(56)の収容部(58)に収容されるので、大引き(７)の上面に床(11)等を構築する際に、ナット(57)が邪魔になることもない。
【００４８】
なお、この発明は、上記実施形態に限定されるものではなく、この発明の範囲内で上記実施形態に多くの修正及び変更を加え得ることは勿論である。例えば、この発明は、免震木造住宅に限らず、他の構造の建物における鋼製梁と木製横架材の緊結に適用しても良い。
【図面の簡単な説明】
【００４９】
【図１】この発明の一実施形態に係る緊結構造を適用した免震木造住宅の１階床部分の縦断面図である。
【図２】外周部の鋼製梁と土台との緊結部付近の分解斜視図である。
【図３】外周部の鋼製梁と土台との緊結部付近の縦断面図である。
【図４】外周部の鋼製梁と内側の鋼製梁を示す斜視図である。
【図５】スペーサを裏面側から見た斜視図である。
【図６】内側の鋼製梁と大引きとの緊結部付近の分解斜視図である。
【図７】内側の鋼製梁に直交するようにして大引きを配置したときの緊結部付近の縦断面図である。
【図８】内側の鋼製梁に沿わせるようにして大引きを配置したときの緊結部付近の縦断面図である。
【図９】連結ボルト付きプレートの斜視図である。
【図１０】スペーサを裏面側から見た斜視図である。
【符号の説明】
【００５０】
(１)  基礎
(３)  免震要素
(４)  金属製梁(鋼製梁)
(７)  木製横架材(大引き)
(20)  フランジ
(21)  ウエブ
(50)  連結ボルト付きプレート
(51)  プレート
(52)  連結ボルト
(54)  固定ボルト
(55)  頭部
(56)  ボルト孔
(57)  ナット
(60)  スペーサ
(61)  載置板部
(62)(63)  脚部
(64)  貫通孔
(70)  隙間
【図１】
2006037476.tif 000003
【図２】
2006037476.tif 000004
【図３】
2006037476.tif 000005
【図４】
2006037476.tif 000006
【図５】
2006037476.tif 000007
【図６】
2006037476.tif 000008
【図７】
2006037476.tif 000009
【図８】
2006037476.tif 000010
【図９】
2006037476.tif 000011
【図１０】
2006037476.tif 000012